(57)【要約】【課題】  本発明は、カード本体に感圧シートと薄膜積層型電池を収納したスタンドアローン動作機能を有するＩＣカードである。【解決手段】  カード本体に感圧シートと薄膜積層型電池を収納し、センサー部表面に載置される感圧シートが複数の超極薄ＰＥＴフィルム等の積層体で形成された可撓性シートであって、薄膜積層型電池が生分解性プラスチックとナノカーボン素材等の結合体フィルムからなる薄膜積層型電池であることを特徴とするＩＣカードを提供する。【選択図】図１
2012221479.tif 000002
【特許請求の範囲】
【請求項１】
スタンドアローン動作機能を有するＩＣカードであって、カード本体に感圧シートと薄膜積層型電池を収納し、センサー部表面に載置される感圧シートが複数の超極薄ＰＥＴフィルム等の積層体で形成された可撓性シートであって、薄膜積層型電池が生分解性プラスチックとナノカーボン素材等の結合体フィルムからなる薄膜積層型電池であることを特徴とするＩＣカード。
【請求項２】
可撓性シートを構成する積層体が、下層から順次に、超極薄ＰＥＴフィルム、両面粘着テープ、超極薄ＰＥＴフィルム、導電性物質の蒸着膜、微粘着ＰＥＴ表面保護テープによって構成されており、導電性物質の蒸着膜が金等の蒸着膜であることを特徴とする請求項１記載のＩＣカード。
【請求項３】
カード本体内に収納される薄膜積層型電池の積層体が、生分解性プラスチックフィルムとＣｕ箔・ナノカーボン素材結合体フィルムとの積層体を正極電極とし、生分解性プラスチックフィルムとＡｌ箔・ナノカーボン素材結合体フィルムとの積層体を負極電極とし、更に該正極電極と負極電極とが絶縁プラスチックフィルムを介して積層された５層の積層体で構成されていることを特徴とする請求項１記載のＩＣカード。
【発明の詳細な説明】
【技術分野】
【０００１】  本発明は、スタンドアローン動作機能を有するＩＣカードであって、カード本体に感圧シートと薄膜積層型電池を収納し、センサー部表面に載置される感圧シートが複数の超極薄ＰＥＴフィルム等の積層体で形成された可撓性シートで構成され、カード本体内に収納される薄膜積層型電池が生分解性プラスチックとナノカーボン素材の結合体からなる薄膜積層型電池で構成されたＩＣカードである。
【背景技術】
【０００２】  本発明者は、先の特許出願において、押捺指紋パターンの面圧力伝達用可撓性シートを提案したが、それは指紋センサー部において、確実な押捺指紋パターンの面圧力を伝達できる可撓性シートを実現させるものであって、更にこの技術をＩＣカードに搭載して確実な個人認証を行うと共に、長期間の無充電使用を許容することのできる薄膜積層型電池を収納するＩＣカードを提供するものである。【０００３】  これまでの生体認証に利用される生体情報で最も確実で究極的な認証手段はＤＮＡではあるが、指紋の認証は最も使用頻度が高く信頼性の高い認証方式であって、数多くの指紋センサー装置が提案されており、一例として下記の特許公報を挙げることができる。【０００４】  また、電池素子を有する薄手の電子チップカードが提案されている。
【先行技術文献】
【特許文献】
【０００５】
【特許文献１】  特開平５−６１９６６号公報
【特許文献２】  特許第４２６６３６３号公報
【特許文献３】  特開２００４−２３４６３８号公報
【発明の概要】
【発明が解決しようとする課題】
【０００６】  前記せる特開平５−６１９６６号公報は、複数個の圧電薄膜素子をマトリックス状に配置して、各圧電薄膜素子に加えられた圧力を電気出力信号に変換することにより、指の指紋情報を検出する指紋センサーであり、前記せる特許第４２６６３６３号公報は、指を押しつけたときの圧力の強弱から指紋の紋様を検出させる指紋感知部と指紋の紋様の凹凸による圧力の違いを電位差として取出す検出回路からなる装置にタッチパネル機能を付随した感圧式指紋センサーであるが、いずれも指紋センサー部に載置して確実な押捺指紋パターンの面圧力を伝達できる可撓性シートを特別に設けるものではなかった。【０００７】  また、市販の指紋センサーを使用しても乾燥指や濡れ指の場合の指紋パターンの正確度に問題があり、耐水性や外部光源の影響もあり、指接触部の耐摩耗性や変形にも問題があったので、これらの問題を解決する必要があった。【０００８】  更に上記の問題点を解決する技術をＩＣカードに搭載して確実な個人認証を行うと共に長期間の無充電使用を許容することのできる薄膜積層型電池を収納するＩＣカードを提供することはＩＣカードの急速な普及に伴う現実の大きな課題である。【０００９】  個人認証のためにＩＣカードに搭載された可撓性シートによって、指紋の凹凸を正確に検出するには可撓性シートをできる限り超極薄にし、しかも確実な可撓性としなければならならず、検出対象となる乾燥指、濡れ指、傷指、汚れ指、静電気帯電指の場合でも十分に対応でき、指紋パターンを正確に検出することができるものでなければならなかった。【００１０】  更に、前記せる特開２００４−２３４６３８号公報は、ＩＣチップおよびエネルギー蓄積器としての電池素子を有する薄手の電子チップカードであるが、この電池素子が少なくとも１個のリチウム挿入電極を有するものであって、本発明のＩＣカードに搭載した薄膜積層型電池に比して放電回数が不足するものであった。
【課題を解決するための手段】
【００１１】  本発明は前記せる課題を以下の構成によって解決するものである。
すなわち、スタンドアローン動作機能を有するＩＣカードであって、カード本体に感圧シートと薄膜積層型電池を収納し、センサー部表面に載置される感圧シートが複数の超極薄ＰＥＴフィルム等の積層体で形成された可撓性シートであって、薄膜積層型電池が生分解性プラスチックとナノカーボン素材の結合体からなる薄膜積層型電池であることを特徴とし、可撓性シートを構成する積層体が、下層から順次に超極薄ＰＥＴフィルム、両面粘着テープ、超極薄ＰＥＴフィルム、導電性物質の蒸着膜、微粘着ＰＥＴ表面保護テープによって構成されており、導電性物質の蒸着膜が金等の蒸着膜であることを特徴とし、且つ、カード本体内に収納される薄膜積層型電池の積層体が、生分解性プラスチックフィルムとＣｕ箔・ナノカーボン素材結合体との積層体を正極電極とし、生分解性プラスチックフィルムとＡｌ箔・ナノカーボン素材結合体との積層体を負極電極とし、更に該正極電極と負極電極とが絶縁プラスチックフィルムを介して積層された５層の積層体で構成されていることを特徴とするＩＣカードを提供するものである。
【発明の効果】
【００１２】  以上説明したように本発明に係るＩＣカードは、押捺指紋パターンの面圧力伝達用可撓性シートによって、乾燥指、濡れ指、傷指、汚れ指、静電気帯電指の場合でも対応できるので、指紋パターンによる個人認証を正確に実施できると共に、長期間の無充電使用を許容することのできる薄膜積層型電池を収納しているので、特に引用文献のリチウム電極に比して放電回数が大幅に増大しているので、今後のＩＣカードの急速な普及に伴う対応ができるものである。
【図面の簡単な説明】
【００１３】
【図１】  本発明ＩＣカードの平面図である。
【図２】  図１のＡ−Ａ線の略示断面図である。
【図３】  可撓性シートの分解斜視図である。
【図４】  図１のＢ−Ｂ線の略示断面図である。
【図５】  薄膜積層型電池の分解斜視図である。
【発明を実施するための形態】
【００１４】  本発明はスタンドアローン動作機能を有するＩＣカードであって、図１に示すように、カード本体１に感圧シート２と薄膜積層型電池３を収納し、また、カード本体１内に埋め込まれたＩＣチップ５上のアンテナ４を介して無線でデータのやり取りを行っている。
【００１５】  図２乃至図３に示すように、センサー部１０の表面に載置される可撓性シート２は複数の超極薄積層体で形成されており、下層から順次に、超極薄ＰＥＴフィルム２１、両面粘着テープ２２、超極薄ＰＥＴフィルム２３、導電性物質の蒸着膜２４、微粘着ＰＥＴ表面保護テープ２５によって構成されている。なお、導電性物質の蒸着膜２４が金等の蒸着膜であることが望ましい。
【００１６】  薄膜積層型電池３が生分解性プラスチックとナノカーボン素材等の結合体フィルムからなる薄膜積層型電池であり、具体的には図４乃至図５に示すように、カード本体１内に収納される薄膜積層型電池３は、生分解性プラスチックフィルム３１とＣｕ箔・ナノカーボン素材結合体フィルム３２との積層体を正極電極とし、生分解性プラスチックフィルム３１とＡｌ箔・ナノカーボン素材結合体フィルム３２との積層体を負極電極とし、更に該正極電極と負極電極とが絶縁プラスチックフィルム３３を介して積層された５層の積層体で構成されている。
【産業上の利用可能性】
【００１７】  生体認証には多くの生体情報を利用した認証装置が使用されつつあり、指紋認証も多く利用されているが、残留指紋をゼラチンに移し取って人工指を作り人工指で認証を通過させるような事件もおきているので、より正確な押捺指紋パターンをセンサー部に伝達することが必要であり、本発明のＩＣカードに押捺指紋パターンの面圧力伝達用可撓性シートを搭載し、更に長期間の無充電使用を許容することのできる薄膜積層型電池を搭載したことによって今後のＩＣカードの急速な普及に伴う対応ができるものであり、産業上の利用価値が極めて高いものである。
【符号の説明】
【００１８】  １  カード本体
１０  センサー部
２  可撓性シート
２１  超極薄ＰＥＴフィルム
２２  両面粘着テープ
２３  超極薄ＰＥＴフィルム
２４  導電性物質の蒸着膜
２５  微粘着ＰＥＴ表面保護テープ
３  薄膜積層型電池
３１  生分解性プラスチックフィルム
３２  Ｃｕ箔・ナノカーボン素材結合体フィルム
３３  絶縁プラスチックフィルム
３４  Ａｌ箔・ナノカーボン素材結合体フィルム
３５  生分解性プラスチックフィルム
４  アンテナ
５  ＩＣチップ
６  指
６１  指紋
【図１】
2012221479.tif 000003
【図２】
2012221479.tif 000004
【図３】
2012221479.tif 000005
【図４】
2012221479.tif 000006
【図５】
2012221479.tif 000007